(57)【要約】【課題】安定した製造が可能な円−直線偏波変換器、この円−直線偏波変換器を備える衛星信号受信コンバータ、および、この衛星信号受信コンバータを備えるアンテナ装置を提供する。【解決手段】隔壁１２のコーナー部２１〜２８の各々には丸みがつけられている。これによりアルミニウム等の金属材料を用いて鋳造加工により隔壁１２を作る際に、材料の流れが悪い部分をなくすことができる。したがって隔壁１２を設計通りの形状に成型できるので円−直線偏波変換器であるセプタムポーラライザの電気的特性が良好になるとともにセプタムポーラライザを安定して製造できる。【選択図】図５
2007329741.tif 000002
【特許請求の範囲】
【請求項１】
導波管と、
前記導波管の内部において前記導波管の一方端から他方端に向かう第１の方向に沿って延在し、前記導波管の内部を第１および第２の領域に仕切る隔壁とを備え、
前記隔壁は、
前記導波管の一方端側に位置し、前記第１の領域から前記第２の領域に向かう向きに見た場合に、外形線が前記第１の方向と前記第１の方向に垂直な第２の方向との間で交互に変わる階段状端部を含み、
前記階段状端部は、
前記外形線の方向が前記第２の方向から前記第１の方向に滑らかに変化する複数の第１のコーナー部を有する、円−直線偏波変換器。
【請求項２】
前記複数の第１のコーナー部における前記外形線の曲率半径は、１ｍｍ以上である、請求項１に記載の円−直線偏波変換器。
【請求項３】
前記曲率半径は、前記複数の第１のコーナー部間で互いに等しい、請求項２に記載の円−直線偏波変換器。
【請求項４】
前記曲率半径は、前記複数の第１のコーナー部間で互いに異なる、請求項２に記載の円−直線偏波変換器。
【請求項５】
前記階段状端部は、
前記外形線の方向が前記第１の方向から前記第２の方向に滑らかに変化する複数の第２コーナー部をさらに有する、請求項１に記載の円−直線偏波変換器。
【請求項６】
導波管と、
前記導波管の内部において前記導波管の一方端から他方端に向かう第１の方向に沿って延在し、前記導波管の内部を第１および第２の領域に仕切る隔壁とを備え、
前記隔壁は、
前記導波管の一方端側に位置し、前記第１の領域から前記第２の領域に向かう向きに見た場合に、外形線の方向が前記第１の方向と前記第１の方向に垂直な第２の方向との間で交互に変わる階段状端部を含み、
前記階段状端部は、
前記外形線の方向が前記第２の方向から前記第１の方向に変化する複数の第１のコーナー部を有し、
前記複数の第１のコーナー部の各々は、
前記外形線の一部であり、前記第１の方向に平行な第１の辺と、
前記外形線の一部であり、前記第２の方向に平行な第２の辺と、
前記外形線の一部であり、前記第１および第２の辺に対して斜交する第３の辺とを有する、円−直線偏波変換器。
【請求項７】
前記第３の辺の長さは、１ｍｍ以上である、請求項６に記載の円−直線偏波変換器。
【請求項８】
前記第３の辺の長さは、前記複数の第１のコーナー部間で互いに等しい、請求項７に記載の円−直線偏波変換器。
【請求項９】
前記第３の辺の長さは、前記複数の第１のコーナー部間で互いに異なる、請求項７に記載の円−直線偏波変換器。
【請求項１０】
前記階段状端部は、
前記外形線の方向が前記第１の方向から前記第２の方向に変化する複数の第２のコーナー部をさらに有し、
前記複数の第２のコーナー部の各々は、
前記外形線の一部であり、前記第１の方向に平行な第４の辺と、
前記外形線の一部であり、前記第２の方向に平行な第５の辺と、
前記外形線の一部であり、前記第４および第５の辺に対して斜交する第６の辺とを有する、請求項６に記載の円−直線偏波変換器。
【請求項１１】
前記導波管は、円形導波管である、請求項１から１０のいずれか１項に記載の円−直線偏波変換器。
【請求項１２】
前記導波管は、正方形導波管である、請求項１から１０のいずれか１項に記載の円−直線偏波変換器。
【請求項１３】
請求項１から１２のいずれか１項に記載の円−直線偏波変換器を備える、衛星信号受信コンバータ。
【請求項１４】
請求項１３に記載の衛星信号受信コンバータを備える、アンテナ装置。
【発明の詳細な説明】
【技術分野】
【０００１】
本発明は、円偏波を受信するアンテナの円−直線偏波変換器、あるいは円偏波受信用コンバータの円−直線偏波変換部に関する。さらに、本発明は衛星信号受信コンバータ、衛星放送あるいは衛星通信を受信するアンテナ装置にも関する。
【背景技術】
【０００２】
衛星放送や衛星通信を受信するパラボラアンテナは、衛星からの電波を反射して集束させる反射鏡と、反射鏡によって集束された電波を受けるフィードホーンと、フィードホーンが受けた電波を増幅および周波数変換するコンバータとを備えている。衛星からの電波が円偏波の場合には、円偏波信号を直線偏波信号に変換する変換器がフィードホーンとコンバータとの間に設けられる。このような円−直線偏波変換器には各種の形式のものが用いられるが、その１つに導波管の内部に隔壁が設けられたセプタムポーラライザがある。
【０００３】
図１２は、円形導波管を含む従来のセプタムポーラライザの構造を示す透視図である。
図１２を参照して、セプタムポーラライザは、円形導波管１０１と隔壁１０２とから構成されている。入力部１０３は通常の円形導波管であり、ここに円偏波が入力される。出力部側では円形導波管１０１の内部が隔壁１０２によって仕切られる。これにより出力部側では円形導波管１０１が２つの半円形導波管１０４，１０５に分割されている。隔壁１０２は板状であり、入力部１０３の奥に向かうにつれて階段状に広がりながら出力部まで伸びる。
【０００４】
図１３は、正方形導波管を含む従来のセプタムポーラライザの構造を示す透視図である。
【０００５】
図１３を参照して、セプタムポーラライザは、正方形導波管１１１と隔壁１１２とを含む。このようにセプタムポーラライザには正方形導波管が用いられる場合もある。図１３に示すセプタムポーラライザでは、入力部１１３は通常の正方形導波管である。出力部では隔壁１１２によって正方形導波管１１３は２つの矩形状導波管１１４，１１５に分割される。
【０００６】
導波管は非常に高い周波数の信号を伝送する給電装置である。導波管は金属等の導電体の管により構成される。セプタムポーラライザを構成する隔壁も金属等の導電体により構成される。通常では隔壁の部材と導波管の部材とは同一であり、隔壁は導波管と一体的に形成される。
【０００７】
上述したようにセプタムポーラライザは円偏波を直線偏波に変換する。以下にセプタムポーラライザの動作原理を述べる。
【０００８】
図１４は、セプタムポーラライザの動作原理を説明する図である。
図１４を参照して、入力部から出力部までの円形導波管１０１の断面形状と、円形導波管１０１の内部を通過する信号の電界方向とを、（ａ）から（ｄ）、および（ｅ）から（ｈ）に表わしている。
【０００９】
図１４の（ａ）および（ｅ）は、セプタムポーラライザの入力部において電界が回転する様子（円偏波）を表わす。（ａ）に示す電界方向は、（ｅ）に示す電界方向に比べて、時間的に偏波の回転角９０度に相当する分だけ遅れている。つまり（ａ）および（ｅ）は、左回りの円偏波（左旋円偏波）が入力部に入力されることを示す。
【００１０】
図１４の（ａ）から（ｄ）までは、水平方向の電界が、この電界に直交する垂直方向の隔壁（セプタム）１０２に何ら影響を受けずに出力部の２つの半円形導波管１０４，１０５まで通過する状態を表わしている。隔壁１０２の厚み（水平方向の長さ）が長いほど水平方向の電界が反射しやすくなるが、隔壁１０２が薄いため電界の反射は生じにくい。また、隔壁１０２を信号が通過しても信号の位相は殆ど変化しない。
【００１１】
図１４の（ｅ）から（ｈ）までは、隔壁１０２によって電界の向きが徐々に変わる様子を示す。なお（ｈ）に示すように、２つの半円形導波管１０４，１０５の電界の方向は互いに逆方向である。
【００１２】
電界の方向は隔壁１０２と平行である。この場合には電界は隔壁１０２の影響を受けるため、本来であれば電界の反射が生じる。しかしながら隔壁１０２を階段状に形成することによって、実際には電界の反射が生じないものとみなすことができる。
【００１３】
図１５は、図１２の隔壁１０２による電波の反射を示す図である。
図１５を参照して、円形導波管１０１の中を進む電波Ｗ１〜Ｗ５は階段形状を有する隔壁１０２の段差部分で反射する。階段の各段の長さが異なるので、各電波Ｗ１〜Ｗ５が反射して戻る際の距離は互いに異なる。よって反射波の位相は互いに異なっている。階段の各段の長さを適切に設定すれば反射後の電波Ｗ１〜Ｗ５が互いに打消しあうように反射後の電波の位相を設定することができる。よって反射波は事実上生じなくなる。
【００１４】
再び図１４を参照しながら説明する。（ｅ）から（ｈ）までの過程では、（ａ）から（ｄ）までの過程に比べ、導波管を通過する信号の位相が遅れる。隔壁１０２の長さおよび形状を適切に設定することによって、この位相の遅れを９０度に設定することができる。この結果（ｈ）に示される電界の位相は（ｄ）に示す電界の位相と同じになる。
【００１５】
要するに入力部では（ａ），（ｅ）に示すように（ａ）の電界の位相に対し、（ｅ）の電界の位相は９０度進んでいる。（ｅ）〜（ｈ）に示されるように隔壁１０２によって垂直方向の電界は９０度遅れる。これにより（ｄ）と（ｈ）とでは、半円形導波管１０４，１０５における電界の位相が等しくなる。
【００１６】
ここで、（ｄ）に示す電界と（ｈ）に示す電界とを合成すると（ｉ）に示される電界となる。半円形導波管１０４では電界の方向が同じであるため、エネルギ的に加算された電界が生じ、直線偏波が出力される。一方、半円形導波管１０５では電界の方向が互いに逆であるため、電界が打消し合う。よって半円形導波管１０５には電界が生じない。
【００１７】
図示しないが、入力の円偏波の回転方向が逆の場合は、半円形導波管１０５に電界が生じ、半円形導波管１０４には電界が生じない。以上の動作によって、セプタムポーラライザでは入力された円偏波が、その円偏波の回転方向によって、２つの半円形導波管１０４，１０５のいずれかから直線偏波となって出力される。なお図示しないが、図１３に示す正方形導波管も図１４に示す原理と同様の原理に従って動作する。
【００１８】
このようにセプタムポーラライザの性能は図１４の（ｅ）から（ｈ）までの過程において信号の反射を如何に小さくできるか、および、位相の遅れを如何に９０度に近づけられるかに依存する。このようなセプタムポーラライザの性能を左右するのが隔壁の形状である。
【００１９】
通常、隔壁の形状としては階段形状が採用される。隔壁での信号の反射が小さくなり、かつ、位相の遅れが９０度に近づくように、階段形状が最適化されたり、他の手段が用いられたりする。
【００２０】
たとえば特公昭６３−４０４８１号公報（特許文献１）では、隔壁が設けられた正方形導波管に、位相の遅れが９０度になるよう調整するための誘電体板を取り付けた隔壁偏波器が開示される。
【００２１】
また、たとえば米国特許第６１１８４１２号明細書（特許文献２）では、入力部から出力部に向かうに従って厚みが変化する隔壁を有する導波管が開示される。
【特許文献１】特公昭６３−４０４８１号公報
【特許文献２】米国特許第６１１８４１２号明細書
【発明の開示】
【発明が解決しようとする課題】
【００２２】
通常、これらの導波管あるいはセプタムポーラライザは、コンバータの筐体となるシャーシと一体的に成型される。このためセプタムポーラライザはアルミニウムなどの金属材料を用いて、金型による鋳造加工により製造される。
【００２３】
隔壁の厚みが出来るだけ薄い（例えば１ｍｍ以下）ほうが導波管内の信号の反射が少なくなるため、電気的な性能は良好になる。しかしながら、薄板状の部分を鋳造加工により成型しようとしても、金型の隙間（薄板状の部分を成型する箇所）が細いために材料が流れにくい。
【００２４】
特にセプタムポーラライザに含まれる隔壁のように厚みが薄く、かつ、コーナーが尖っていると隔壁の形状が設計通りに仕上がらないといった問題が発生する。たとえば成型後の隔壁においてコーナーが欠けていたり、材料のカスが付着していたりする。
【００２５】
金型が古くなると上記の傾向が顕著に現われる。最終的にはその金型でセプタムポーラライザを製造できなくなるので金型を新しいものに交換しなければならない。しかし金型の更新頻度が高くなると製造コストが上昇する。
【００２６】
また、金型が古くなると隔壁の階段形状が設計当初の形状から変わる。隔壁の形状が変化すると反射特性あるいは位相特性等が目標の性能から外れる。この場合にはセプタムポーラライザが円偏波を直線偏波に変換した際に直交偏波成分が発生するので、いわゆる交差偏波特性（交差偏波識別度）が悪化する。ここで「交差偏波特性（交差偏波識別度）の悪化」とは、本来受信したい偏波（例えば左旋円偏波）に逆の偏波（例えば右旋円偏波）の信号が含まれてしまう現象を指す。
【００２７】
本発明の目的は、安定的に製造可能な円−直線偏波変換器、この円−直線偏波変換器を備える衛星信号受信コンバータ、および、この衛星信号受信コンバータを備えるアンテナ装置を提供することである。
【課題を解決するための手段】
【００２８】
本発明は要約すれば、円−直線偏波変換器であって、導波管と、隔壁とを備える。隔壁は、導波管の内部において導波管の一方端から他方端に向かう第１の方向に沿って延在し、導波管の内部を第１および第２の領域に仕切る。隔壁は、導波管の一方端側に位置し、第１の領域から第２の領域に向かう向きに見た場合に、外形線が第１の方向と第１の方向に垂直な第２の方向との間で交互に変わる階段状端部を含む。階段状端部は、外形線の方向が第２の方向から第１の方向に滑らかに変化する複数の第１のコーナー部を有する。
【００２９】
好ましくは、複数の第１のコーナー部における外形線の曲率半径は、１ｍｍ以上である。
【００３０】
より好ましくは、曲率半径は、複数の第１のコーナー部間で互いに等しい。
より好ましくは、曲率半径は、複数の第１のコーナー部間で互いに異なる。
【００３１】
好ましくは、階段状端部は、外形線の方向が第１の方向から第２の方向に滑らかに変化する複数の第２コーナー部をさらに有する。
【００３２】
本発明の他の局面に従うと、円−直線偏波変換器であって、導波管と、隔壁とを備える。隔壁は、導波管の内部において導波管の一方端から他方端に向かう第１の方向に沿って延在し、導波管の内部を第１および第２の領域に仕切る。隔壁は、導波管の一方端側に位置し、第１の領域から第２の領域に向かう向きに見た場合に、外形線の方向が第１の方向と第１の方向に垂直な第２の方向との間で交互に変わる階段状端部を含む。階段状端部は、外形線の方向が第２の方向から第１の方向に変化する複数の第１のコーナー部を有する。複数の第１のコーナー部の各々は、外形線の一部であり、第１の方向に平行な第１の辺と、外形線の一部であり、第２の方向に平行な第２の辺と、外形線の一部であり、第１および第２の辺に対して斜交する第３の辺とを有する。
【００３３】
好ましくは、第３の辺の長さは、１ｍｍ以上である。
より好ましくは、第３の辺の長さは、複数の第１のコーナー部間で互いに等しい。
【００３４】
より好ましくは、第３の辺の長さは、複数の第１のコーナー部間で互いに異なる。
好ましくは、階段状端部は、外形線の方向が第１の方向から第２の方向に変化する複数の第２のコーナー部をさらに有する。複数の第２のコーナー部の各々は、外形線の一部であり、第１の方向に平行な第４の辺と、外形線の一部であり、第２の方向に平行な第５の辺と、外形線の一部であり、第４および第５の辺に対して斜交する第６の辺とを有する。
【００３５】
さらに好ましくは、導波管は、円形導波管である。
さらに好ましくは、導波管は、正方形導波管である。
【００３６】
本発明のさらに他の局面に従うと、衛星信号受信コンバータであって、上述のいずれかの円−直線偏波変換器を備える。
【００３７】
本発明のさらに他の局面に従うと、アンテナ装置であって、上述の衛星信号受信コンバータを備える。
【発明の効果】
【００３８】
本発明によれば、円−直線偏波変換器を安定的に製造できる。
【発明を実施するための最良の形態】
【００３９】
以下において、本発明の実施の形態について図面を参照しながら詳細に説明する。なお、図中同一または相当部分には同一符号を付してその説明は繰返さない。
【００４０】
図１は、本実施の形態のアンテナ装置の概略図である。
図１を参照して、アンテナ装置５０は衛星放送あるいは衛星通信を受信するパラボラアンテナである。アンテナ装置５０は、反射鏡５１と、衛星信号受信コンバータ５２とを含む。衛星信号受信コンバータ５２は、セプタムポーラライザ１と、フィードホーン２と、本体部４とを含む。セプタムポーラライザ１は本発明の「円−直線偏波変換器」に対応する。
【００４１】
図示しない衛星から送られる電波信号Ｓ（円偏波）は反射鏡５１において反射され、集束される。フィードホーン２は反射鏡５１によって集束された電波を受ける。本体部４はフィードホーン２が受けた電波信号Ｓを増幅および周波数変換する。
【００４２】
セプタムポーラライザ１はフィードホーン２と本体部４との間に設けられる。セプタムポーラライザ１は円偏波信号を直線偏波信号に変換する。本体部４にセプタムポーラライザ１を接続することによって、衛星信号受信コンバータ５２は円偏波受信用コンバータとして動作する。
【００４３】
図２は、本実施の形態のセプタムポーラライザの一例を示す透視図である。
図２を参照して、セプタムポーラライザ１は、円形導波管１１と隔壁１２とを含む。入力部１３には図１のフィードホーン２から円偏波が入力される。
【００４４】
隔壁１２は円形導波管１１の内部において円形導波管１１の一方端（入力部１３）から他方端（出力部）に向かう第１の方向に沿って延在する。入力部１３は通常の円形導波管である。出力部では隔壁１２によって円形導波管１１が２つの半円形導波管１４，１５に分割される。
【００４５】
以下では半円形導波管１４の内部、および、半円形導波管１５の内部をそれぞれ「第１および第２の領域」と称することにする。第１の領域から第２の領域に向かう向きに隔壁１２を見た場合には隔壁１２は階段状に見える。
【００４６】
図３は、本実施の形態のセプタムポーラライザの他の例を示す透視図である。
図３および図２を参照して、セプタムポーラライザ１Ａは、円形導波管１１に代えて正方形導波管１１Ａを含む点でセプタムポーラライザ１と異なるが他の点はセプタムポーラライザ１と同様である。
【００４７】
図３に示すように、隔壁１２は正方形導波管１１Ａの内部において正方形導波管１１Ａの一方端（入力部１３Ａ）から他方端（出力部）に向かう方向（第１の方向）に沿って延在する。入力部１３Ａは通常の正方形導波管である。出力部では隔壁１２によって正方形導波管は２つの矩形状導波管１４Ａ，１５Ａに分割される。図３に示す矩形状導波管１４Ａの内部、および、矩形状導波管１５Ａの内部は上述の「第１および第２の領域」にそれぞれ相当する。第１の領域から第２の領域に向かう向きに隔壁１２を見た場合には隔壁１２は階段状に見える。
【００４８】
以下の説明ではセプタムポーラライザの導波管は円形導波管１１であるとする。次に、第１の領域から第２の領域に向かう向きに隔壁１２を見たときの隔壁１２の形状について詳細に説明する。
【００４９】
図４は、従来のセプタムポーラライザの第１の方向に沿った断面図である。
図５は、本実施の形態のセプタムポーラライザの第１の方向に沿った断面図である。
【００５０】
図４および図５を参照して、Ｘ方向は円形導波管１１の一方端から他方端に向かう方向（第１の方向）を示す。Ｙ方向はＸ方向に垂直な方向（第２の方向）を示す。
【００５１】
図４および図５を参照して、隔壁１２は円形導波管１１の一方端側に位置する階段状端部１２Ａを有する。階段状端部１２Ａの外形線Ｌ１はＸ方向とＹ方向との間で交互に変わる。
【００５２】
階段状端部１２Ａはコーナー部２１〜２８を有する。なおコーナー部２１〜２８のうち外形線がＹ方向からＸ方向に変わるコーナー部２１，２３，２５，２７を以下では「第１のコーナー部」とも称し、外形線がＸ方向からＹ方向に変わるコーナー部２２，２４，２６，２８を以下では「第２のコーナー部」とも称する。
【００５３】
図４に示すように従来の隔壁１２ではコーナー部２１〜２８の各々は角張っている。一方、図５に示すように、本実施の形態では隔壁１２のコーナー部２１〜２８の各々には丸みが付けられている。
【００５４】
本実施の形態によればアルミニウム等の金属材料を用いて鋳造加工により隔壁１２を作る際に、材料の流れが悪い部分をなくすことができる。よって本実施の形態によれば隔壁１２を設計通りの形状に成型できるのでセプタムポーラライザの電気的特性が良好になるとともにセプタムポーラライザを安定して製造できる。
【００５５】
図６は、図４に示す隔壁１２の複数のコーナー部のうちのコーナー部２１，２２付近の拡大図である。
【００５６】
図６を参照して、コーナー部２１（第１のコーナー部）では外形線Ｌ１がＹ方向からＸ方向に滑らかに変化する。コーナー部２２（第２のコーナー部）では外形線Ｌ１がＸ方向からＹ方向に滑らかに変化する。
【００５７】
コーナー部２１，２２における外形線Ｌ１の曲率半径Ｒは同じ大きさであり、たとえば約１ｍｍ以上に設定される。
【００５８】
図５に戻り説明すると、コーナー部２３〜２８の各々における外形線Ｌ１の曲率半径はコーナー部２１，２２における外形線Ｌ１の曲率半径と等しく、約１ｍｍ以上に設定される。
【００５９】
なお、階段状端部の第１および第２のコーナー部の両方に丸みがつけられていることがより好ましいが、少なくとも第１のコーナー部に丸みがつけられていればよい。その理由について以下に説明する。
【００６０】
図７は、従来の隔壁の成型時における問題点を説明する模式図である。
図７を参照して、金型３０に金属材料３２を流すことにより隔壁が成型される。金型３０のコーナー部３１の曲率半径は０ｍｍではないもののきわめて０ｍｍに近い値である。金属材料３２を金型３０に流した際にコーナー部３１に金属材料３２が行き渡ることで図４のコーナー部２１が形成される。しかし、図７に示すようにコーナー部３１に金属材料３２が行き渡らない場合には図４のコーナー部２１は不完全に成型される。なお図４に示すコーナー部２２を成型する場合にも同様の問題が発生し得るが、コーナー部２１を設計どおりの形状に成型するほうがより困難である。
【００６１】
本実施の形態では、第１および第２のコーナー部のうち、特に第１のコーナー部の曲率半径をある程度大きな値（約１ｍｍ以上）に設定する。これにより鋳造加工を行なって隔壁を成型した場合に、第１のコーナー部に対応する金型の部分にも金属材料３２が流れやすくなるので上述の問題点を解決することができる。
【００６２】
したがって本実施の形態によれば、成型後の隔壁の形状を設計通りに保ったまま、同じ金型でセプタムポーラライザを作り続けることができる。よって、この金型で作られたセプタムポーラライザの電気的特性（たとえば交差偏波識別度など）は製造時期によらず良好である。また、本実施の形態によれば金型の寿命を長くすることができる。
【００６３】
なお、階段状端部におけるコーナー部の形状は図５および図６に示す形状以外の形状でもよい。以下に、コーナー部の他の形状の一例を示す。
【００６４】
図８は、階段状端部に含まれるコーナー部の他の形状の例を示すセプタムポーラライザの断面図である。
【００６５】
図８および図５を参照して、図８に示す階段状端部１２Ａではコーナー部２１〜２８の各々はいわばＣ面状に形成される。各コーナー部をＣ面状に形成することによって各コーナー部に丸みをつけた場合と同様の効果が得られる。
【００６６】
なお図８に示すセプタムポーラライザの他の部分の構成は図５に示すセプタムポーラライザの対応する部分の構成と同様であるので以後の説明は繰返さない。
【００６７】
図９は、図８に示す隔壁１２のコーナー部２１，２２の周辺を拡大した図である。
図９を参照して、コーナー部２１，２２は直交する２辺とその２辺に対して４５度の角度で交わる斜辺とを含む。このようにコーナー部が形成されることを本実施の形態の説明では「Ｃ面状に形成される」と称する。また、斜辺の長さを以下では「コーナー部の斜辺の寸法」とも称することにする。
【００６８】
コーナー部２１，２２の構成を具体的に説明する。コーナー部２１はＹ方向に平行な辺４１と、Ｘ方向に平行な辺４２と、辺４１，４２に対して４５度の角度で交わる辺４３とを含む。コーナー部２２はＸ方向に平行な辺４２と、Ｙ方向に平行な辺４４と、辺４２，４４に対して４５度の角度で交わる辺４５とを含む。
【００６９】
辺４３，４５の長さは互いに等しい。辺４３，４５の寸法をＬとするとＬは約１ｍｍ以上である。
【００７０】
図８に戻り説明すると、コーナー部２３〜２８の各々もコーナー部２１，２２と同様にＣ面状に形成される。また、コーナー部２１〜２８の斜辺の寸法は互いに等しい。すなわちコーナー部２３〜２８の斜辺の寸法は約１ｍｍ以上に設定される。
【００７１】
このように図５および図８に示す階段状端部１２Ａでは、各コーナー部における外形線の曲率半径、あるいは斜辺の寸法は互いに等しい。ただし、反射特性あるいは位相特性を最適化するためには各コーナー部の寸法を互いに異ならせたほうがよい場合もある。
【００７２】
図１０は、各コーナー部の寸法を変えた階段状端部の一例を示すセプタムポーラライザの断面図である。
【００７３】
図１０および図５を参照して、階段状端部１２Ａのコーナー部２１Ａ〜２６Ａにおいて外形線の曲率半径はコーナー部２１Ａ〜２６Ａ間で互いに異なる。この点でコーナー部２１Ａ〜２６Ａはコーナー部２１〜２６と異なっている。なお図１０に示すセプタムポーラライザの他の部分の構成は図５に示すセプタムポーラライザの対応する部分の構成と同様であるので以後の説明は繰返さない。
【００７４】
図１１は、各コーナー部の寸法を変えた階段状端部の他の例を示すセプタムポーラライザの断面図である。
【００７５】
図１１および図８を参照して、階段状端部１２Ａにおいてコーナー部の斜辺の寸法はコーナー部２１Ｂ〜２６Ｂ間で互いに異なる。この点でコーナー部２１Ｂ〜２６Ｂはコーナー部２１〜２６と異なっている。なお図１１に示すセプタムポーラライザの他の部分の構成は図８に示すセプタムポーラライザの対応する部分の構成と同様であるので以後の説明は繰返さない。
【００７６】
以上のように、本実施の形態によれば隔壁の階段状端部においてコーナー部（特に第１のコーナー部）には丸みがつけらたりＣ面状に形成されたりする。よって鋳造加工によりセプタムポーラライザを製造する場合に、隔壁の部分を設計どおりの形状に作りやすくなる。このためセプタムポーラライザを安定的に製造することができる。
【００７７】
また、長期間同じ金型を用いても電気的特性が良好な製品を作り続けることができる。よって金型の寿命を長くすることができるとともに不良品の発生率を低くすることができる。この結果製造コストを低減できる。
【００７８】
なお、このようにコーナー部の寸法が大きくなったことに応じて、セプタムポーラライザの反射特性や位相特性が最適になるように隔壁の階段状端部を設計する（たとえば階段の各段の長さや段差を設計する）必要があるのは言うまでもない。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８０】
【図１】本実施の形態のアンテナ装置の概略図である。
【図２】本実施の形態のセプタムポーラライザの一例を示す透視図である。
【図３】本実施の形態のセプタムポーラライザの他の例を示す透視図である。
【図４】従来のセプタムポーラライザの第１の方向に沿った断面図である。
【図５】本実施の形態のセプタムポーラライザの第１の方向に沿った断面図である。
【図６】図４に示す隔壁１２の複数のコーナー部のうちのコーナー部２１，２２付近の拡大図である。
【図７】従来の隔壁の成型時における問題点を説明する模式図である。
【図８】階段状端部に含まれるコーナー部の他の形状の例を示すセプタムポーラライザの断面図である。
【図９】図８に示す隔壁１２のコーナー部２１，２２の周辺を拡大した図である。
【図１０】各コーナー部の寸法を変えた階段状端部の一例を示すセプタムポーラライザの断面図である。
【図１１】各コーナー部の寸法を変えた階段状端部の他の例を示すセプタムポーラライザの断面図である。
【図１２】円形導波管を含む従来のセプタムポーラライザの構造を示す透視図である。
【図１３】正方形導波管を含む従来のセプタムポーラライザの構造を示す透視図である。
【図１４】セプタムポーラライザの動作原理を説明する図である。
【図１５】図１２の隔壁１０２による電波の反射を示す図である。
【符号の説明】
【００８１】
１，１Ａ  セプタムポーラライザ、２  フィードホーン、４  本体部、１１，１０１  円形導波管、１１Ａ，１１１  正方形導波管、１２，１０２，１１２  隔壁、１２Ａ  階段状端部、１３，１３Ａ，１０３，１１３  入力部、１４，１５，１０４，１０５  半円形導波管、１４Ａ，１５Ａ，１１４，１１５  矩形状導波管、２１〜２８，２１Ａ〜２６Ａ，２１Ｂ〜２６Ｂ，３１  コーナー部、３０  金型、３２  金属材料、４１〜４５  辺、５０  アンテナ装置、５１  反射鏡、５２  衛星信号受信コンバータ、Ｌ１  外形線、Ｓ  電波信号、Ｗ１〜Ｗ５  電波。
【図１】
2007329741.tif 000003
【図２】
2007329741.tif 000004
【図３】
2007329741.tif 000005
【図４】
2007329741.tif 000006
【図５】
2007329741.tif 000007
【図６】
2007329741.tif 000008
【図７】
2007329741.tif 000009
【図８】
2007329741.tif 000010
【図９】
2007329741.tif 000011
【図１０】
2007329741.tif 000012
【図１１】
2007329741.tif 000013
【図１２】
2007329741.tif 000014
【図１３】
2007329741.tif 000015
【図１４】
2007329741.tif 000016
【図１５】
2007329741.tif 000017